(57)【要約】【課題】  ペットの食欲によることなく、主食とされる適正な分量の餌をペットが食することができるペット用食器を提供する。【解決手段】凹状の収容空間を有する本体部を備えるペット用食器であって、主食用餌を収容する前記本体部の内周面から段部を介して嗜好用餌を収容する溝状部が形成されることを特徴とするペット用食器。前記本体部部の前記内周面が前記溝状部にかけて傾斜周面を有するペット用食器、又は前記溝状部が前記内周面を構成する水平底面から前記段部を介して形成されるペット用食器、又は前記本体部の上端縁部に湯切り口が設けられるペット用食器。【選択図】  図１
2014171397.tif 000002
【特許請求の範囲】
【請求項１】
凹状の収容空間を有する本体部を備えるペット用食器であって、
主食用餌を収容する前記本体部の内周面から段部を介して嗜好用餌を収容する溝状部が形成されることを特徴とするペット用食器。
【請求項２】
前記本体部部の前記内周面は、前記溝状部にかけて傾斜周面を有する請求項１に記載のペット用食器。
【請求項３】
前記溝状部は、前記内周面を構成する水平底面から前記段部を介して形成される請求項１に記載のペット用食器。
【請求項４】
前記本体部の上端縁部に湯切り口が設けられる請求項１から請求項３のいずれか１項に記載のペット用食器。
【発明の詳細な説明】
【技術分野】
【０００１】
本発明は、ペット用食器に係るものであって、特に猫又は犬に好適なペット用食器に関するものである。
【背景技術】
【０００２】
一般に、猫又は犬に餌を与える際には、ペットフードをペット用食器等に入れることで行われている。当該ペット用食器においては、飼い主が必要以上にペットフードを与えることがないよう、又は飼い主におけるペットフードの給餌作業の負担軽減の為に、計量機能を備えるものが知られている。
【０００３】
例えば、ペットフードを収容する内周面に目盛りを備えるペット用食器や、周壁の内周面及び外周面の少なくともいずれかの周面に、給餌対象とする小動物の種類を表示する少なくとも１種類の適用対象小動物表示と、この小動物表示により表示された小動物の１回又は１日あたりの適正給餌量に対応する容量水準位置を示す適正給餌量目盛りとが、相互に関係付けられた態様で設けられてなるペット用食器が公知である（特許文献１、特許文献２参照）。
【先行技術文献】
【特許文献】
【０００４】
【特許文献１】特開平１０−３００５５２号
【特許文献２】実用新案登録第３０８３６８７号
【発明の概要】
【発明が解決しようとする課題】
【０００５】
しかしながら、上記計量機能を備えるペット用食器を用いて給餌作業を行う場合であっても、ペットの食欲はその都度異なることもあり、飼い主が給餌した適正な分量を食さないこともある。
【０００６】
このような場合に、ウェットフードやおやつ等のペットの嗜好性が強いフードを所定の比率で混合させたフードをペットに給餌することが多くみられる。しかしながら、ウェットフードやおやつは一般的にドライフードと比較してコストが増大することから、飼い主はできるだけこれらの比率を低くして混合させたフードを給餌したい反面、これらの比率を低くすると、ペットが食さないといった問題が生じてしまう。
【０００７】
また、特におやつ等のカロリーの高いものの比率を高くすると、ペットが肥満になりやすい傾向にある等、コスト面以外の健康面でも問題がある。更には、当該混合フードを作る作業が飼い主にとって煩雑な作業となる虞もある。
【０００８】
そこで、本発明はこのような問題点を解決するものであって、ペットの食欲によることなく、主食とされる適正な分量の餌をペットが食することができるペット用食器を提供することを課題とする。
【課題を解決するための手段】
【０００９】
前記問題点を解決するために、本発明の請求項１に記載のペット用食器は、凹状の収容空間を有する本体部を備えるペット用食器であって、主食用餌を収容する前記本体部の内周面から段部を介して嗜好用餌を収容する溝状部が形成されることを特徴とするものである。
【００１０】
また、本発明の請求項２に記載のペット用食器は、請求項１に記載のペット用食器において、前記本体部部の前記内周面は、前記溝状部にかけて傾斜周面を有するものである。
【００１１】
また、本発明の請求項３に記載のペット用食器は、請求項１に記載のペット用食器において、前記溝状部は、前記内周面を構成する水平底面から前記段部を介して形成されるものである。
【００１２】
また、本発明の請求項４に記載のペット用食器は、請求項１から請求項３のいずれか１項に記載のペット用食器において、前記本体部の上端縁部に湯切り口が設けられるものである。
【発明の効果】
【００１３】
本発明のペット用食器では、溝状部に嗜好用餌を収容し、嗜好用餌の上方に主食用餌を収容することができる。これにより、主食用餌の間から嗜好用餌の匂いが上方へと漂い、ペット用食器内に広がるので、ペットの食欲を増進させることができ、適正な分量の主食用餌を食することができる。
【図面の簡単な説明】
【００１４】
【図１】本発明の実施例におけるペット用食器の斜視図である。
【図２】本発明の実施例におけるペット用食器の図１のＡ−Ａ断面図である。
【図３】本発明の実施例におけるペット用食器に主食用餌と嗜好用餌を収容した状態の説明断面図である。
【図４】本発明の別実施例におけるペット用食器の断面図である。
【図５】本発明の別実施例におけるペット用食器の各平面図である。
【発明を実施するための形態】
【００１５】
以下、本発明の実施の形態におけるペット用食器を図面に基づいて説明する。
【実施例】
【００１６】
本発明に係るペット用食器１０は、図１から図３に示すように、主に上方が開口した凹状の収容空間２１を有する本体部２０から構成されるものである。当該ペット用食器１０は、例えば磁器製とされるが、これに限られることなく、陶器製、合成樹脂製、金属製、ガラス製等であってもよい趣旨である。
【００１７】
当該ペット用食器１０は、鼻の低いペット、顔の幅広いペット等が食しやすく、猫のひげが接触しにくいよう幅広形状に形成される。本実施例においては、例えば、平面視にて植物の葉形状を模して形成され、長手寸法が１５ｃｍ程度、短手寸法が１２ｃｍ程度、高さ寸法が４．５ｃｍ程度とされ、収容空間２１の容積が１００〜１５０ｍｌ程度となるよう設定される。当該サイズは、猫、小型犬、超小型犬用として適するものである。ペット用食器１０における平面視の形状は、略楕円形状、円形状、四角形状、その他魚形等の種々の形状を模した形状等であってもよく、ペットが食しやすい収容空間２１が形成されるものであれば、特に制限されるものではない。
【００１８】
本体部２０は、底部３０及び底部３０の縁部から上方へ延設される側部４０から構成される。これにより、上方が開口した収容空間２１が形成される。底部３０は、本実施例においては、地面、床等に載置しやすいよう、下端面を全面に亘って平坦部としているが、下端面を略円弧状等に形成し、脚部（図示しない）等によって地面、床等に設置するよう形成することもできる。
【００１９】
また、側部４０の上端縁部４１には、給餌する餌の余分な水分、油分等を除去する為の湯切り口４２が設けられる。本実施例においては、平面視にて植物の葉形状を模して形成されることから、湯切り口４２は当該長手方向における端部の少なくともいずれか一方に形成される。湯切り口４２は、本体部２０の形状に適した箇所、形状、個数をもって設けることができ、特に制限されるものではない。
【００２０】
収容空間２１は、ペットである猫又は犬が主食とする主食用餌ＳＦを収容するものであり、内底面２３及び内側面２４から構成される内周面２２によって形成される。当該主食用餌ＳＦは、猫又は犬が主食とするドライフード、ウェットフード等、ペットが主食とする餌であればよい趣旨である。
【００２１】
また、内底面２３は、底部３０の略中央部が最深部となるよう緩やかに傾斜する傾斜周面を有して形成される。当該傾斜周面は、主食用餌ＳＦが最深部へと容易に落下できる程度の傾斜であればよい趣旨である。また、内側面２４は、内底面２３の縁部から緩やかな円弧を介して上方へ延設される。
【００２２】
また、内周面２２から下方に向けて段部を介して、当該ペットに対して嗜好性の強い嗜好用餌ＴＦを収容する溝状部２５が形成される。当該嗜好用餌ＴＦは、ウェットフード、ペットが好物とするおやつ、ふりかけ、猫用またたび、ミルク等、主食用餌ＳＦよりペットに対して嗜好性が強いものであれば特に制限されるものではなく、固形状、粉末状、液体状等のいずれであってもよい趣旨である。
【００２３】
より具体的には、溝状部２５は内底面２３に形成される。当該溝状部２５の段部は、ペットが舌で嗜好用餌ＴＦをすくい上げやすいように、内底面２３から緩やかに傾斜する傾斜周面を有するように形成することが望ましい。
【００２４】
また、図２に示すように、溝状部２５を底部３０の最深部にかけて位置するように形成することで、収容空間２１に収容される主食用餌ＳＦを本体部２０の略中央部に寄せ集めることができる。
【００２５】
当該溝状部２５は、本実施例においては、例えば、平面視にて植物の葉脈を模して形成され、葉脈における主脈の長手寸法が１１ｃｍ程度、短手寸法が１ｃｍ程度、最深寸法が０．５ｃｍ程度とされ、主脈及び側脈を含んだ溝状部２５の容積が５〜１０ｍｌ程度となるよう設定される。すなわち、主食用餌ＳＦに対して少量、例えば３％〜１０％程度の嗜好用餌ＴＦを収容することができる形状であれば、特に制限されるものではない。
【００２６】
このようにして収容空間２１の下方に溝状部２５を設けることで、当該溝状部２５に嗜好用餌ＴＦを収容し、嗜好用餌ＴＦの上方である収容空間２１に主食用餌ＳＦを収容することができる。これにより、主食用餌ＳＦの間から嗜好用餌ＴＦの匂いが上方へと漂い、収容空間２１内に広がるので、ペットの食欲を増進させることができる。
【００２７】
次に、このようにして構成されるペット用食器１０を利用して給餌する場合について説明する。ペットである猫又は犬の過半数の主食がドライフードとされることから、主食用餌ＳＦをドライフードとし、嗜好用餌ＴＦをささみのふりかけとする。
【００２８】
まず、本体部２０の溝状部２５にささみのふりかけを入れ、その後、溝状部２５の上方から収容空間２１内にドライフードを入れて、図３に示す給餌状態とする。従来においては、ドライフードの上方からささみのふりかけをかけて給餌状態としており、ペットの鼻息等でペット用食器の外側へ飛散し、当該食器の周辺を汚してしまう虞もあったが、ペット用食器１０においては、ささみのふりかけの上方にドライフードが位置することから、飛散量を著しく軽減することができる。
【００２９】
当該給餌状態においては、ささみのふりかけがドライフードで覆われている為、ペット自身が視覚をもって確認することはできないものの、ドライフードの間からささみのふりかけの匂いが上方へと漂い、ペット用食器１０内に充満されるので、嗜好物が内在されることを嗅覚をもって確認することができる。これにより、ペットの食欲を増進させることができる。
【００３０】
また、溝状部２５は底部３０の最深部にかけて位置するように形成されているので、ペットが嗜好物であるささみのふりかけのみを食そうとしてドライフードを押し退けようとしても、傾斜周面である内底面２３により溝状部２５側へと押し戻される為、容易にはささみのふりかけのみを食することができない。
【００３１】
すなわち、ペット用食器１０は、ペットがドライフードを食した後にしか、ささみのふりかけを食することができない構造としている。勿論、一定量のドライフードを食した後には、ささみのふりかけが徐々に露呈してくることになり、ペットはささみのふりかけを食することができる状態となる。
【００３２】
当該状態においては、残存するドライフードは傾斜周面である内底面２３により溝状部２５側に寄せ集められるので、ペットが食する際の動きに応じて、ドライフード及びささみのふりかけが自然な状態で混合される。このように混合されることで、従来、飼い主が給餌の際に行っていた混合フードと同様の状態となる。
【００３３】
当該混合状態においては、残存するドライフードの量も少なくなってきているので、混合フードにおけるささみのふりかけの比率も高くなる。これにより、ペットがささみのふりかけと同時にドライフードを食するので、飼い主が給餌した適正な分量のドライフードを完全に食することができる。
【００３４】
以上、説明した本発明に係るペット用食器１０によれば、ペットの食欲によることなく、主食とされる適正な分量の餌を食することができる。これにより、適正な時間に適正な分量を給餌することができるので、肥満になりにくくなり、ペットの健康を維持することができる。
【００３５】
また、溝状部２５に収容される嗜好用餌ＴＦの分量が少なくても、嗜好用餌ＴＦの匂いによって、ペットが主食用餌ＳＦを食することから、給餌に関するコストを低減することができる。更には、従来のように主食用餌ＳＦと嗜好用餌ＴＦを混合させる作業がないので、飼い主における給餌作業の負担を軽減することができる。
【００３６】
上記実施例におけるペット用食器１０は、内周面２２を構成する内底面２３及び溝状部２５の段部が傾斜周面を有して形成されるものであるので、頭を上下に上げ下げして飲み込むという猫特有の食べ方を十分に考慮した構造となっていることから、特に猫に対して好適なものである。
【００３７】
すなわち、溝状部２５の傾斜周面に沿って舌で主食用餌ＳＦ、嗜好用餌ＴＦをすくい上げた際、内底面２３の上方に口部を保持した後、当該口部と舌との間にて挟むようにして食することができる。
【００３８】
一方で、犬においては、猫のような特有の食べ方をすることがないので、図４に示すようにして、内底面２３を水平面となるようペット用食器１１を形成して、犬に好適な構造とすることもできる。
【００３９】
また、内側面２４においては、水平面とした内底面２３に対して垂直となるよう設けることもできる。すなわち、内側面２４は、地面、床等の設置面に対して垂直となるよう設けることもできる。
【００４０】
更に、溝状部２５の形状においては、平面視にて植物の葉脈を模して形成されるものであったが、図５の（ａ）から（ｄ）に示すようにして、リング状、ひらがな、カタカナ、アルファベット等を模した文字状、手型状、足型状、骨型状等、種々のデザインを採用して形成することができる。
【００４１】
すなわち、上記実施例においては、溝状部２５が葉脈を模して形成されるものであった為、内底面２３は底部３０の略中央部が最深部となるよう緩やかに傾斜する傾斜周面を有して形成されるものであったが、上記種々のデザインに応じて最深部の位置が適宜変更されるのは勿論である。換言すると、当該最深部の位置によることなく、溝状部２５へと傾斜する傾斜周面を有して形成されるものであれば、特に猫に対して好適な構造とすることができる。すなわち、溝状部２５より下方に最深部が位置する形状であってもよい趣旨である。
【００４２】
例えば、図５（ａ）において、リング状の溝状部２５における外側に位置する内周面２２を溝状部２５へと傾斜する傾斜周面とするとともに、当該溝状部２５における内側に位置する内周面２２を溝状部２５に対して隆起させた隆起部２６を形成して、溝状部２５へと傾斜する傾斜周面を形成することもできる。係る際においては、最深部は溝状部２５とされる。
【００４３】
更に、本体部２０、内周面２２、溝状部２５の形状、寸法、材質等を適宜変更して実施することが可能である。また、一部構成を省略することができるし、一部抽出した構成とすることができるのは勿論である。
【符号の説明】
【００４４】
１０、１１  ペット用食器
２０    本体部
２１    収容空間
２２    内周面
２３    内底面
２４    内側面
２５    溝状部
２６    隆起部
３０    底部
４０    側部
４１    上端縁部
４２    湯切り口
ＳＦ    主食用餌
ＴＦ    嗜好用餌
【図１】
2014171397.tif 000003
【図２】
2014171397.tif 000004
【図３】
2014171397.tif 000005
【図４】
2014171397.tif 000006
【図５】
2014171397.tif 000007